(57)【要約】【課題】開閉蓋を閉じると、自動的に、弛み、浮き上がりの無い状態で記録紙が印字位置を通って引き出された状態を形成可能なロール紙プリンタを提案すること。【解決手段】ロール紙プリンタ１の開閉蓋３を閉じると、印字位置（３３ａ）を挟み、紙送り方向の前後の位置において、前側紙送りローラ３７と前側紙押えローラ３８の間、および、後側紙送りローラ３４と後側紙押えローラ３５の間に、それぞれ記録紙１２ａが挟まれた状態が形成される。開閉蓋３の側の従動側歯車７３は、プリンタ本体２側の駆動側歯車７２に噛み合う際に僅かに回転し、この回転が、伝達歯車７４〜７７を介して、前側紙送りローラ３７を紙送り方向に回転させる。よって、記録紙１２ａが送り出されて、印字位置を通る記録紙の部分の弛み、浮き上がりが自動的に除去される。【選択図】図６
2007175910.tif 000002
【特許請求の範囲】
【請求項１】
プリンタ本体の側に、紙送りモータの回転力が伝達される駆動側歯車と、前側紙押えローラとが搭載されており、
開閉蓋の側に、従動側歯車と、前側紙送りローラと、前記従動側歯車の回転を前記前側紙送りローラに伝達する回転力伝達機構とが搭載されており、
前記開閉蓋を閉じると、前記従動側歯車が前記駆動側歯車に噛み合うと共に、印字位置に対して紙送り方向の前側の位置において、前記前側紙送りローラが前記前側紙押えローラに圧接した状態になり、
前記駆動側歯車に噛み合う際に生ずる前記従動側歯車の回転が、前記回転力伝達機構を介して、前記前側紙送りローラの紙送り方向の回転として伝達されることを特徴とするロール紙プリンタ。
【請求項２】
請求項１において、
前記プリンタ本体の側に、後側紙送りローラが搭載されており、
前記開閉蓋の側に、後側紙押えローラが搭載されており、
前記開閉蓋を閉じると、前記印字位置に対して紙送り方向の後側の位置において、前記後側紙押えローラが前記後側紙送りローラに圧接した状態になり、
前記後側紙送りローラのローラ軸には、前記駆動側歯車が同軸状態に取り付けられていることを特徴とするロール紙プリンタ。
【請求項３】
請求項２において、
前記回転力伝達機構は、前記駆動側歯車に噛み合っている第一段の伝達歯車と、前記前側紙送りローラのローラ軸に同軸状態に取り付けた最終段の伝達歯車と、これらの間に噛み合っている少なくとも一枚の中間伝達歯車とを備えていることを特徴とするロール紙プリンタ。
【発明の詳細な説明】
【技術分野】
【０００１】
本発明は、ロール紙の装填作業が簡単に出来るように開閉蓋を開けると紙送り経路が開放状態になるように構成されているロール紙プリンタに関し、特に、開閉蓋を閉じると、浮き上がりの無い状態で記録紙が印字位置を通って引き出された状態を形成可能なロール紙プリンタに関するものである。
【背景技術】
【０００２】
レシートなどを発行するロール紙プリンタにおいては、ロール紙の装填作業を簡単に行うことができるようにするために、開閉蓋を開けると、ロール紙収納部から記録紙排出口に到る紙送り経路を開放状態にできる構造のものが知られている。この構造のロール紙プリンタでは、例えば、開閉蓋の側に、印字ヘッドに対峙しているプラテン部材、紙送りローラに当接している紙押えローラ、鋏式記録紙切断装置の可動刃などが搭載されている。開閉蓋を開くと、これらの部材が離れて記録紙搬送経路が開放状態になるので、記録紙収納部に収納したロール紙から記録紙を引き出して開閉蓋を閉じると、記録紙が紙送りローラと紙押えローラに挟まれ、プラテン部材によって規定される印字位置を通って記録紙排出口から引き出された状態が自動的に形成される。特許文献１にはこのようなロール紙プリンタが開示されている。
【特許文献１】特開２００２−３０８４８２号公報
【発明の開示】
【発明が解決しようとする課題】
【０００３】
ここで、開閉蓋を閉じた際に、印字位置を通る記録紙の部分に弛みができ、プラテン部材から浮き上がった状態になることがある。この状態のままで印字を開始すると、例えばキャリッジに搭載された印字ヘッドが浮き上がっている記録紙の部分に当り、紙詰まりが発生するおそれがある。また、記録紙と印字ヘッドの距離（プラテンギャップ）が変わるために印字品質も低下する。このため、従来においては、開閉蓋を閉じた後に、記録紙を所定量だけ送り出す紙送り動作を行うことにより、記録紙の弛み、あるいは浮き上がりを取り除く必要があった。
【０００４】
本発明の課題は、この点に鑑みて、開閉蓋を閉じると、自動的に、弛み、あるいは浮き上がりの無い状態で記録紙が印字位置を通って引き出された状態を形成することのできるロール紙プリンタを提案することにある。
【課題を解決するための手段】
【０００５】
上記の課題を解決するために、本発明のロール紙プリンタは、プリンタ本体の側に、紙送りモータの回転力が伝達される駆動側歯車と、前側紙押えローラとが搭載されており、開閉蓋の側に、従動側歯車と、前側紙送りローラと、前記従動側歯車の回転を前記前側紙送りローラに伝達する回転力伝達機構とが搭載されており、前記開閉蓋を閉じると、前記従動側歯車が前記駆動側歯車に噛み合うと共に、印字位置に対して紙送り方向の前側の位置において、前記前側紙送りローラが前記前側紙押えローラに圧接した状態になり、前記駆動側歯車に噛み合う際に生ずる前記従動側歯車の回転が、前記回転力伝達機構を介して、前記前側紙送りローラの紙送り方向の回転として伝達されることを特徴としている。
【０００６】
開閉蓋を閉じると、そこに搭載されている従動側歯車は、駆動側歯車に噛み合う際に僅かに回転する。この従動側歯車の回転が、回転力伝達機構を介して、前側紙送りローラに伝達されて、当該前側紙送りローラが紙送り方向に回転する。記録紙は、当該前側紙送りローラと前側紙押えローラの間に挟まれている。したがって、前側紙送りローラが紙送り
方向に回転すると記録紙が所定量だけ送り出され、これらの後側における印字位置に通されている記録紙の部分の弛み、あるいは浮き上がりが除去される。
【０００７】
ここで、本発明のロール紙プリンタでは、上記構成に加えて、前記プリンタ本体の側に、後側紙送りローラが搭載されており、前記開閉蓋の側に、後側紙押えローラが搭載されており、前記開閉蓋を閉じると、前記印字位置に対して紙送り方向の後側の位置において、前記後側紙押えローラが前記後側紙送りローラに圧接した状態になり、前記後側紙送りローラのローラ軸には、前記駆動側歯車が同軸状態に取り付けられていることを特徴としている。
【０００８】
開閉蓋を閉じると、印字位置を挟み、紙送り方向の前後の位置において、前側紙送りローラと前側紙押えローラの間、および、後側紙送りローラと後側紙押えローラの間に、それぞれ記録紙が挟まれた状態が形成される。駆動側歯車に従動側歯車が噛み合う際には、紙送りモータの側に連結されている駆動側歯車は回転しないので、駆動側歯車に同軸状に連結されている後側紙送りローラも回転しない。これに対して、上記のように、開閉蓋を閉じる際には前側紙送りローラは紙送り方向に回転する。したがって、印字位置の後側における部位では記録紙が送り出されることなく後側紙送りローラおよび後側紙押えローラの間に挟持され、これより前側の記録紙の部分のみが送り出される。よって、印字位置における記録紙の弛み、あるいは浮き上がりを、開閉蓋を閉じる際に生ずる前側紙送りローラの回転によって、効率良く、しかも、確実に除去できる。
【０００９】
この場合、前記回転力伝達機構は、前記駆動側歯車に噛み合っている第一段の伝達歯車と、前記前側紙送りローラのローラ軸に同軸状態に取り付けた最終段の伝達歯車と、これらの間に噛み合っている少なくとも一枚の中間伝達歯車とを備えた歯車式回転力伝達機構とすることができる。
【発明の効果】
【００１０】
本発明のロール紙プリンタでは、開閉蓋を閉じる際における駆動側歯車に噛み合う従動側歯車の回転を利用して、印字位置の紙送り方向の前側に配置されている前側紙送りローラを紙送り方向に回転させるようにしている。したがって、開閉蓋を閉じると、印字位置に通された記録紙が所定量だけ送り出され、その弛み、あるいは浮き上がりが自動的に除去される。よって、開閉蓋を閉じた後に、記録紙の弛み、浮き上がりを除去するために紙送り動作を行う必要がない。
【発明を実施するための最良の形態】
【００１１】
以下に、図面を参照して、本発明を適用したプリンタの実施の形態を説明する。
【００１２】
（全体構成）
図１は本発明を適用したインクジェット式のロール紙プリンタの外観斜視図であり、図２はその開閉蓋を全開にした状態の外観斜視図である。本例のロール紙プリンタ１は全体としてほぼ直方体形状をしたプリンタ本体２と、当該プリンタ本体２の前面に取り付けた開閉蓋３とを有している。プリンタ本体２の外装ケース２ａの前面には所定幅の記録紙排出口４が形成されている。記録紙排出口４の下側には排紙ガイド５が前方に突出しており、当該排紙ガイド５の側方には蓋開閉レバー６が配置されている。外装ケース２ａにおける排紙ガイド５および蓋開閉レバー６の下側には、ロール紙出し入れ用の矩形の開口部２ｂが形成されており、この開口部２ｂが開閉蓋３によって封鎖されている。
【００１３】
蓋開閉レバー６を操作すると開閉蓋３のロックが解除される。排紙ガイド５を前方に引くと、図２に示すように、開閉蓋３が下端部を中心として前方にほぼ水平となるまで開く。開閉蓋３が開くと、プリンタ内部に形成されているロール紙収納部１１が開放状態とな
り、同時に、ロール紙収納部１１から記録紙排出口４に到る記録紙搬送経路が開放状態となり、プリンタ前方からロール紙の交換作業などを簡単に行うことができるようになっている。
【００１４】
また、開閉蓋３の右隣にも開口部２ｃが形成されており、ここには、下端を中心として開閉可能な開閉蓋７が取り付けられている。この開閉蓋７を開けると、インク供給部であるインクカートリッジ装填部１８が開放状態となり、インクカートリッジの交換などを行うことができる。開閉蓋３の左隣は操作面２ｄとなっており、ここには、ＬＥＤからなる状態表示ランプ、ペーパーフィードボタンなどが配列されている。
【００１５】
図３はロール紙プリンタ１における外装ケース２ａに内蔵されているプリンタ機構部を示す斜視図であり、図４はプリンタ機構部を前後方向に切断した場合の概略縦断面図である。プリンタ機構部１０は、その幅方向の中央部分にロール紙収納部１１を備えており、このロール紙収納部１１にはロール紙１２がプリンタ幅方向に向いた横置き状態で収納されるようになっている。ロール紙収納部１１の上側には、ヘッドユニット１３が水平に取り付けられている。ヘッドユニット１３はヘッドユニットフレーム１４を備え、このヘッドユニットフレーム１４の左右の側板部分１４ａ、１４ｂの間にはキャリッジガイド軸１５が水平に架け渡されており、このキャリッジガイド軸１５に沿ってインクジェットヘッド１６が下向き状態で搭載されているキャリッジ１７が往復移動可能となっている。
【００１６】
図３に示すように、ロール紙収納部１１の右隣におけるヘッドユニット１３の左側部分の下側部位には、インクカートリッジ装填部１８およびヘッドメンテナンスユニット２０が配置されている。下側に配置されているインクカートリッジ装填部１８には不図示のインクカートリッジを装着可能である。上側に配置されているヘッドメンテナンスユニット２０は、公知のヘッドメンテナンスユニットと同様に、インクジェットヘッド１６のノズル面を払拭するためのワイパおよびノズル面の各ノズルから吐出あるいは排出された廃インクを回収するための回収部（図示せず）が備わっている。ロール紙収納部１１の左隣におけるヘッドユニット１３の右側部分の下側部位は、制御基板（図示せず）が装着されている基板装着部２２となっている。
【００１７】
図４に示すように、プリンタ機構部１０の内部においては、ロール紙収納部１１とヘッドユニット１３の間における後側の部位に、プリンタ幅方向に沿って記録紙ガイド３２が水平に配置されている。記録紙ガイド３２の前側には、一段高い位置においてプリンタ前後方向に水平に、プラテンガイド３３が配置されている。プラテンガイド３３の真上には、キャリッジ１７に搭載されたインクジェットヘッド１６が配置されている。インクジェットヘッド１６のノズル面１６ａは、プラテンガイド３３の上面３３ａに対して一定のギャップで対峙しており、当該上面３３ａによって印字位置が規定されている。
【００１８】
印字位置を規定しているプラテンガイド３３と、記録紙ガイド３２との間には、後側紙送りローラ３４がプリンタ幅方向に水平に架け渡されている。後側紙送りローラ３４には下側から所定幅の後側紙押えローラ３５が所定の押圧力で押し付けられている。プラテンガイド３３における前端側の部位には、前側紙送りローラ３７が配置されている。前側紙送りローラ３７には、上側から前側紙押えローラ３８が押し付けられている。後側紙送りローラ３４および前側紙送りローラ３７は、ヘッドユニット１３に搭載されている紙送りモータ３６によって駆動される。
【００１９】
キャリッジ１７は、キャリッジモータ３９およびタイミングベルト４０を備えたキャリッジ搬送機構によって、プリンタ幅方向（印字幅方向）に往復移動される。キャリッジ１７が往復移動すると、そこに搭載されているインクジェットヘッド１６により、ロール紙１２から繰り出されて印字位置を通過する記録紙１２ａの表面に印字が行われる。
【００２０】
キャリッジ１７にはインクダンバ４１が搭載されており、ここには、可撓性のインクチューブ４２が接続されている。インクチューブ４２を介して、インクカートリッジ装填部１８に装着されているインクカートリッジから各色のインクがインクジェットヘッド１６に供給され、インクジェットヘッド１６によりフルカラー印刷を行うことが可能となっている。
【００２１】
印字後の記録紙１２ａが排出される記録紙排出口４には、鋏式の記録紙切断装置４４が配置されている。記録紙切断装置４４の固定刃４５は上向き状態で垂直に配置されており、その可動刃４６は下向きで垂直に配置されている。可動刃駆動機構４７によって可動刃４６がプリンタ幅方向の一方の端を支点として上下方向に旋回すると、固定刃４５との接触点がプリンタ幅方向に移動して、これらの間に位置する記録紙１２ａを幅方向に切断できる。
【００２２】
ここで、開閉蓋３には、その蓋フレーム５１に、プラテンガイド３３、記録紙ガイド３２、後側紙押えローラ３５、前側紙送りローラ３７、および固定刃４５が搭載されている。また、蓋フレーム５１の前端には、蓋開閉レバー６および記録紙排出ガイド５が取り付けられている。開閉蓋３は、例えば平行リンク機構によって、水平状態を保持したまま開閉するように構成されている。
【００２３】
開閉蓋３を開けると、ロール紙収納部１１のロール紙出し入れ用の開口部２ｂが開放状態になると共に、ロール紙収納部１１から記録紙排出口４に到る記録紙搬送経路が開放状態になる。したがって、ロール紙収納部１１にロール紙１２を収納し、ロール紙１２から記録紙１２ａを所定の長さだけ引き出し、しかる後に開閉蓋３を閉じると、図４において太い一点鎖線で示すように、ロール紙収納部１１に収納されているロール紙１２から引き出された記録紙１２ａが、記録紙ガイド３２によってガイドされ、第１紙送りローラ３４および第１紙押えローラ３５の間からプラテンガイド３３の上面３３ａ（印字位置）を経由して第２紙送りローラ３７および第２紙押えローラ３８の間を通って記録紙排出口４から外部に引き出された記録紙セット状態が形成される。
【００２４】
この状態で後側紙送りローラ３４および前側紙送りローラ３７が回転すると、記録紙１２ａの搬送が開始される。記録紙１２ａの搬送に同期させてインクジェットヘッド１６が駆動され、印字位置を通過する記録紙１２ａの表面に印字が行われる。所定の印字が終了した後は、例えば、印字後の記録紙１２ａが記録紙排出口４から排出された状態で搬送が停止し、記録紙切断装置４４によって記録紙１２ａが切断され、所定長さの印字済みの記録紙片が発行される。
【００２５】
（紙送り動力伝達系）
次に、図５はプリンタ機構部１０を示す斜視図であり、紙送りモータの動力伝達系以外のヘッドユニット部分、左右のインクカートリッジ装着部、ヘッドメンテナンスユニットおよび基板装着部を取り外した状態で示してある。図６は紙送り動力の伝達経路を示す説明図である。また、図７は開閉蓋３を閉じ位置にロックするロック機構を示す説明図である。
【００２６】
図５および図６を参照して、紙送りモータ３６の回転を後側紙送りローラ３４および前側紙送りローラ３７に伝達する紙送り動力伝達系を説明する。紙送りモータ３６の回転は、図５に示すように、ベルト・プーリ式の伝達機構７１を介して、後側紙送りローラ３４のローラ軸３４ａの端部に伝達される。ローラ軸３４ａにおける反対側の軸部分には、同軸状態で駆動側歯車７２が取り付けられている。
【００２７】
開閉蓋３の側には、その蓋フレーム５１の側部に、従動側歯車７３が回転自在の状態で取り付けられている。従動側歯車７３は開閉蓋３を閉じると、僅かに回転しながら駆動側歯車７２と噛み合った状態になる。また、蓋フレーム５１の側部には、従動側歯車７３の前側の位置からプリンタ前方に向けて配列された第一段ないし第四段の伝達歯車７４、７５、７６および７７からなる歯車式回転力伝達機構が配置されている。最終段である第四段目の伝達歯車７７は、開閉蓋３に取り付けられている前側紙送りローラ３７のローラ軸３７ａの軸端部に同軸状態で固定されている。
【００２８】
図６に示すように、開閉蓋３を閉じると、印字位置（３３ａ）を挟み、紙送り方向の前後の位置において、前側紙送りローラ３７と前側紙押えローラ３８の間、および、後側紙送りローラ３４と後側紙押えローラ３５の間に、それぞれ記録紙１２ａが挟まれた状態が形成される。同時に、駆動側歯車７２に従動側歯車７３が噛み合い、紙送りモータ３６の回転力を前側紙送りローラ３７に伝達するための伝達経路が形成される。
【００２９】
ここで、駆動側歯車７２に従動側歯車７３が噛み合う際には、紙送りモータ３６の側に連結されている後側紙送りローラ３４は回転しないので、後側紙送りローラ３４に同軸上に連結されている駆動側歯車７２も回転しない。これに対して、従動側歯車７３は駆動側歯車７２に噛み合う際に僅かに回転する。本例では、開閉蓋３がプリンタ前側から後側に移動して閉じ位置に到るので、従動側歯車７３は上側の駆動側歯車７２に噛み合う際に、紙送り出し方向に僅かに回転する。この回転が伝達歯車７４〜７７を介して伝達されるので、図６において矢印で示すように、最終段の伝達歯車７７も紙送り出し方向に回転する。したがって、当該伝達歯車７７が取り付けられている前側紙送りローラ３７が紙送り方向に回転する。
【００３０】
よって、印字位置（３３ａ）の後側における部位では記録紙１２ａが送り出されることなく後側紙送りローラ３４および後側紙押えローラ３５の間に挟持され、これより前側の記録紙１２ａの部分のみが送り出される。この結果、開閉蓋３を閉じる際に、図６において太線で示すように、印字位置（３３ａ）において記録紙１２ａに弛み、あるいは浮き上がりがあったとしても、前側紙送りローラ３７の回転によって記録紙１２ａが送り出されて、そのような弛み、浮き上がりが確実に除去される。
【００３１】
（開閉蓋のロック機構）
次に、開閉蓋３を閉じ位置にロックするロック機構について説明する。図５、７に示すように、ロック機構は、蓋フレーム５１の前側部分において開閉蓋開閉方向に回転自在の状態で掛け渡されている支軸５２と、支軸５２の両端部に固定されている蓋側係合部である左右一対のロックレバー５３（図においては一方の側のみを示してある。）と、プリンタ本体２の側に設けられている本体側係合部である左右一対の係合軸５４（図においては一方の側のみを示してある。）を備えている。支軸５２の端には蓋開閉レバー６が固着されており、蓋開閉レバー６を押すと、支軸５２が回転して、その両端に固定されているロックレバー５３の先端側（プリンタ後側の部分）を上方に旋回させることができる。ロックレバー５３は捻りばねなどによって常にロック方向に付勢されている。
【００３２】
ロックレバー５３は、支軸５２の両端部からプリンタ後方に向けて突出しているほぼ一定幅の垂直板であり、その先端部の下端面はプリンタ後側から前側に向けて下方に傾斜している傾斜端面５３ａとなっている。傾斜端面５３ａの下端部分には、係合軸５４に対してプリンタ後側（開閉蓋の閉じ方向の前側）から係合可能なフック部分５３ｂが形成されている。すなわち、傾斜端面５３ａの下端には上方に折れ曲がった係合端面５３ｃが連続し、係合端面５３ｃの上端にはプリンタ前側に折れ曲がって延びる下端面５３ｄが連続している。
【００３３】
プリンタ本体側の左右の係合軸５４は、ロール紙収納部１１の両側の側板部分５５、５６の外側面からプリンタ幅方向の外方に向けて直角に突出している軸である。開閉蓋３を閉じると、閉じ動作に伴って、ロックレバー５３の傾斜端面５３ａが係合軸５４に当り、この後は、ロックレバー５３が上方に押し上げられ、フック部分５３ｂが係合軸５４を乗り越え、その係合端面５３ｂがプリンタ後側から係合軸５４に係合したロック状態が形成される。
【００３４】
ロック状態において、蓋開閉レバー６を押し込むと、左右のロックレバー５３の先端部分が上方に旋回して、それらのフック部分５３ｂが係合軸５４から上方に外れ、ロック状態が解除される。
【００３５】
ここで、係合軸５４に対してロックレバー５３を確実にロックできるように、開閉蓋３はその閉じ位置よりも僅かではあるが余分にプリンタ後方に押し込み可能となっている。したがって、ロック状態においては、開閉蓋３は前後方向にガタ付きのある状態となる。本例のロック機構には次に述べる付勢機構が付設されており、当該付勢機構によってかかるガタ付きが防止されるので、開閉蓋３を閉じ位置に位置決めした状態でロックすることができる。
【００３６】
本例の付勢機構は、開閉蓋３に搭載されている固定刃４５と、この固定刃４５をプリンタ後方側（開閉蓋の閉じ方向）に引張っている引張りコイルばね６１を備えている。固定刃４５は、蓋フレーム５１の前端部分５１ａによってプリンタ前後方向（開閉蓋の開閉方向）に僅かに移動可能な状態で取り付けられている。引張りコイルばね６１は、固定刃４５の左右の端部分に前端が掛止され、それらの後端は、蓋フレーム５１における固定刃４５よりも後側の部位に形成したバネ掛け５１ｂに掛止されている。これらの引張りコイルばね６１によって固定刃４５はプリンタ後側（開閉蓋の閉じ方向）に常時、付勢されている。
【００３７】
固定刃４５の左右の端部分には上方に突出した左右一対の当接板部分４５ａ（蓋側当接部）が形成されている。これらの当接板部分４５ａは、ヘッドユニット１３におけるユニットフレーム１４の前板部分１４ｃの両端側下縁部分の前面部分１４ｄ（本体側当接部）にプリンタ前方から当接可能となっている。本例では、開閉蓋３を閉じる際における、ロック機構のロックレバー５３のフック部分５３ｂが係合軸５４に掛止する直前の時点において、当接板部分４５ａが前板部分１４ｃの前面部分１４ｄに当接するように設定されている。
【００３８】
開閉蓋３を閉じる際には、ロック機構の左右のロックレバー５３のフック部分５３ｂがプリンタ本体２側の左右の係合軸５４に掛止する直前の時点で、固定刃４５の左右の当接板部分４５ａが、プリンタ本体側の前板部分１４ｃの前面部分１４ｄに当たる。開閉蓋３を押し込み、ロック機構によるロック状態が形成されると、固定刃４５は所定の押圧力によってプリンタ本体２側から前方に押された状態になる。固定刃４５は左右一対の引張りコイルばね６１によって、開閉蓋３の蓋フレーム５１に支持されている。したがって、固定刃４５に加わるプリンタ本体２側からの押圧力によって、開閉蓋３は全体としてプリンタ前方に引張られた状態になる。この結果、ロック機構における左右のロックレバー５３のフック部分５３ｂの係合端面５３ｃが後側から左右の係合軸５４に押し付けられた状態になる。すなわち、開閉蓋３は、閉じ位置に、ガタ付き無く位置決めされた状態でロックされる。
【００３９】
したがって、開閉蓋３の閉じ状態において、開閉蓋３に搭載されている第１紙押えローラ３５および第２紙送りローラ３７は、プリンタ本体２側の第１紙送りローラ３４および第２紙押えローラ３８に対して確実に位置決めされた状態で当接する。よって、これらの
記録紙ニップ力を一定に保持できるので、ローラ当接位置のばらつきに起因してニップ力が変動して紙送りピッチがばらつき、印字品位が低下するなどの弊害を防止できる。
【００４０】
次に、閉じ位置にロックされている開閉蓋３を開ける場合の付勢機構の作用を説明する。蓋開閉レバー６を下方に押し込むと、ロック機構の左右のロックレバー５３が旋回して、それらのフック部分５３ｂが上方に移動して、プリンタ本体２の側の左右の係合軸５４から外れて、ロックが解除される。
【００４１】
開閉蓋３には、付勢機構によって、プリンタ本体２の側から、その開き方向に所定の押圧力が作用している。ロックが解除されると、当該押圧力によって、開閉蓋３は前方（開き方向）に自動的に蹴り出される。この結果、ロック機構のロックレバー５３のフック部分５３ｂが係合軸５４よりもプリンタ前方の位置に移動するので、蓋開閉レバー６の操作を解除しても、開閉蓋３が再びロック状態になることはない。
【００４２】
前方に蹴り出された開閉蓋３は、その下端部を中心として自重により全開状態まで自動的に開く。開閉蓋３の開き速度を調整するためには、開閉蓋３を閉じ方向に所定の力で付勢するコイルばねを、開閉蓋３の支とプリンタ本体２の間に架け渡しておけばよい。あるいは、開閉蓋３の回転中心を規定している支軸に捻りばねなどを配置しておけばよい。
【００４３】
このように、本例では、蓋開閉レバー６を一回だけ押し込むという簡単な操作によって、開閉蓋３のロックが解除され、開閉蓋３が開き方向に自動的に送り出される。したがって、開閉蓋３を開き際の操作性が改善される。
【図面の簡単な説明】
【００４４】
【図１】本発明を適用したロール紙プリンタの外観斜視図である。
【図２】開閉蓋を開いた状態のロール紙プリンタの外観斜視図である。
【図３】ロール紙プリンタのプリンタ機構部を示す斜視図である。
【図４】プリンタ機構部の概略縦断面図である。
【図５】プリンタ機構部を、一部を省略した状態で示す斜視図である。
【図６】開閉蓋に配置された紙送り動力の伝達経路を示す説明図である。
【図７】開閉蓋のロック機構および付勢機構を示す説明図である。
【符号の説明】
【００４５】
１  ロール紙プリンタ、２  プリンタ本体、２ａ  外装ケース、２ｂ  開口部、３  開閉蓋、４  記録紙排出口、５  排紙ガイド、６  蓋開閉レバー、１１  ロール紙収納部、１２  ロール紙、１２ａ  記録紙、１３  ヘッドユニット、１４  ヘッドユニットフレーム、１４ｃ  前板部分、１４ｄ  前面部分、３２  記録紙ガイド、３３  プラテンガイド、３４  後側紙送りローラ、３４ａ  ローラ軸、３５  後側紙押えローラ、３７  前側紙送りローラ、３７ａ  ローラ軸、３８  前側紙押えローラ、４４  記録紙切断装置、４５  固定刃、４５ａ  当接板部分、４６  可動刃、５１  蓋フレーム、５１ｂ  ばね掛け、５２  支軸、５３  ロックレバー、５３ｂ  フック部分、５４  係合軸、６１  引張りコイルばね、７１  ベルト・プーリ式動力伝達機構、７２  駆動側歯車、７３  従動側歯車、７４〜７７  伝達歯車
【図１】
2007175910.tif 000003
【図２】
2007175910.tif 000004
【図３】
2007175910.tif 000005
【図４】
2007175910.tif 000006
【図５】
2007175910.tif 000007
【図６】
2007175910.tif 000008
【図７】
2007175910.tif 000009